(57)【特許請求の範囲】
【請求項１】
第１の収納部を回動支点まわりに１８０度または１８０度を超えて回動させることにより、上方位置とその下の下方位置との間で昇降移動させるのと同時に、この第１の収納部の回動支点まわりの回動に連動して第２の収納部を前記上方位置と下方位置との間で第１の収納部と逆向きに直線的に昇降移動させることにより、第１の収納部と第２の収納部とを双方に共通した前記上方位置と下方位置とで入れ換えるようにしたことを特徴とする収納部昇降方法。
【請求項２】
第１の収納部と、この第１の収納部を自由端部に支持して回動支点まわりの１８０度または１８０度を超えた回動にて第１の収納部を所定の上昇位置とそのほぼ真下の下降位置とに昇降させる支持部材と、この支持部材の回動に連動して第１の収納部を所定の姿勢に規制する姿勢規制手段と、支持部材の回動に連動して第２の収納部を上昇位置と下降位置との間で直線的に昇降させる連動手段とを備えたことを特徴とする昇降収納装置。
【請求項３】
第１の収納部と、この第１の収納部を上方の格納位置に収容すると共に収納部の出入り方向面と下面とが開放され前記出入り方向面に扉を設けた収容部と、第１の収納部を自由端部に支持して回動支点回りの１８０度または１８０度を超えた回動にて前記格納位置とそのほぼ真下で且つ収納部が収容部の下端から露出する出し入れ位置とに昇降させる支持部材と、この支持部材の回動に連動して第１の収納部を所定の姿勢に規制する姿勢規制手段と、支持部材の回動に連動して第２の収納部を上昇位置と下降位置との間でほぼ直線的に昇降させる連動手段とを備えたことを特徴とする昇降収納装置。
【発明の詳細な説明】
【０００１】
【発明の属する技術分野】
本発明は、上下に配列した２つの収納部を必要に応じて上下位置を入れ換え、出し入れが容易な下方位置に任意の収納部が位置するように昇降させることができる収納部昇降方法及びそれを用いた昇降収納装置に関するものである。
【０００２】
【従来の技術】
収納部を上方位置と下方位置との間に昇降させる方法として、収納部を鉛直線上に直線的に昇降させることが考えられるが、収納部に収納した物品の重量が増したとき、上昇させることが困難になるため、より軽い力で上昇させることができるように、回動により収納部を昇降させる昇降装置が提案されている。図６は回動による収納部の昇降装置の従来例を示すもので、リンク機構より収納部を昇降できるように構成されている。
【０００３】
この昇降装置は、図６に示すように、流し台ｄ等の作業台の上方に配置したキャビネットｃ内に収容された収納部ａをキャビネットｃ内と下方位置との間に昇降できるように構成されている。収納部ａがキャビネットｃ内に収容されている状態では流し台ｄを使用する作業に支障はなく、必要に応じてキャビネットｃの扉を開いて収納部ａを引き下ろすと、自由に出し入れのできる下方位置に降下させることができる。収納部ａはキャビネットｃに回動自在に取り付けられた平行リンクｂの自由端で支持されているので、収納部ａはキャビネットｃ内と手前下方位置とに回動させて昇降動作を行うことができる。
【０００４】
このような厨房だけでなく、上方空間を物品の収納場所としてキャビネット類を配置することがなされるが、物の出し入れに踏み台等を用いないと自由に出し入れができないので、上記のように収納部ａを昇降できるように構成すると上方に設置した収納部を有効活用できる。
【０００５】
【発明が解決しようとする課題】
しかしながら、上記構成では収納部ａはキャビネットｃの手前側が下降位置となるので、収納部ａを下降させた状態では流し台等の作業台での作業ができなくなることや、昇降する高さ距離が小さいためキャビネットｃをあまり高い位置に配置することができない問題点があった。また、収納物により収納部ａの重量が増したときに、上昇させるための操作に大きな力を加える必要があり、非力な女性や子供が使用するのに難があった。
【０００６】
本発明の目的とするところは、２つの収納部を上下に配置して上方の収納部を１８０度を超えた回動により降下させることにより、下方の収納部を上昇させて上下位置を入れ換えることができる収納部昇降方法及びそれを用いた昇降収納装置を提供することにある。
【０００７】
【課題を解決するための手段】
上記目的を達成するための本願の第１発明は、第１の収納部を回動支点まわりに１８０度または１８０度を超えて回動させることにより、上方位置とその下の下方位置との間で昇降移動させるのと同時に、この第１の収納部の回動支点まわりの回動に連動して第２の収納部を前記上方位置と下方位置との間で第１の収納部と逆向きに直線的に昇降移動させることにより、第１の収納部と第２の収納部とを双方に共通した前記上方位置と下方位置とで入れ換えるようにしたことを特徴とする収納部昇降方法である。
【０００８】
上記収納部昇降方法によれば、第１の収納部を１８０度または１８０度を超えた回動により上方位置とその真下の下方位置との間に昇降させる動作に連動して第２の収納部を前記下方位置と上方位置との間に直線的に昇降させることにより上下の位置関係を入れ換えることができるので、常時使用する物品を収納した第２の収納部を出し入れのしやすい下方位置に配置しておき、常時は使用しない物品を第１の収納部に収納して、必要に応じて第１、第２の収納部の位置を入れ換えると、第１の収納部からも容易に物品の出し入れを行うことができる。また、昇降動作は一方の収容部の下降に対して他方の収納部は上昇するように、互いの反対方向への昇降による釣り合いによってなされるので、下降する側には上昇する側の負荷が加えられて急激な下降が抑えられ、一方、上昇する側には下降する側の重量が加わるので上昇が楽になる。
【０００９】
また、本願の第２発明は、第１の収納部と、この第１の収納部を自由端部に支持して回動支点まわりの１８０度または１８０度を超えた回動にて第１の収納部を所定の上昇位置とそのほぼ真下の下降位置とに昇降させる支持部材と、この支持部材の回動に連動して第１の収納部を所定の姿勢に規制する姿勢規制手段と、支持部材の回動に連動して第２の収納部を上昇位置と下降位置との間で直線的に昇降させる連動手段とを備えたことを特徴とする昇降収納装置である。
【００１０】
上記構成によれば、第１の収納部は支持部材の１８０度または１８０度を超えた回動により上昇位置と下降位置との間に昇降させることができ、この第１の収納部の回動に連動させて第２の収納部を直線的に昇降させ、第１の収納部と第２の収納部との上下位置を入れ換えることができる。第１の収納部の回動時の姿勢は回動に連動する姿勢規制手段により回動角度の変化にかかわらず一定の姿勢に維持される。
【００１２】
更に、本願の第３発明は、第１の収納部と、この第１の収納部を上方の格納位置に収容すると共に収納部の出入り方向面と下面とが開放され前記出入り方向面に扉を設けた収容部と、第１の収納部を自由端部に支持して回動支点回りの１８０度または１８０度を超えた回動にて前記格納位置とそのほぼ真下で且つ収納部が収容部の下端から露出する出し入れ位置とに昇降させる支持部材と、この支持部材の回動に連動して第１の収納部を所定の姿勢に規制する姿勢規制手段と、支持部材の回動に連動して第２の収納部を上昇位置と下降位置との間でほぼ直線的に昇降させる連動手段とを備えたことを特徴とする昇降収納装置である。
【００１３】
上記構成によれば、１８０度または１８０度を超えた回動により昇降動作する第１の収納部は上昇位置では収容部内の格納位置にあり、収容部の扉を閉じることができるので、第１の収納部が前面開放の棚状のものであっても美観や防塵性が保たれる。下降させるときには収容部の扉を開き、収容部内の格納位置から第１の収納部を回動させて収容部の真下の出し入れ位置に降下させる動作に連動させて第２の収納部を直線的に昇降させることにより、第１の収納部と第２の収納部との上下位置を入れ換えることができる。
【００２３】
【発明の実施の形態】
以下、添付図面を参照して本発明の一実施形態について説明し、本発明の理解に供する。
【００２４】
本発明の収納部昇降方法は、第１の収納部をほぼ１８０度の回動により上方位置と下方位置との間に昇降動作させ、これに連動させて第２の収納部を第１の収納部の昇降と逆向きに直線的に昇降させるもので、この収納部昇降方法を用いた本実施形態に係る昇降収納装置は、厨房の収納部として適用した具体例を示すものである。
【００２５】
図１は本実施形態に係る昇降収納装置の構成と動作を説明する側面図で、昇降収納装置Ｂは、壁面に沿って配設された調理台２６の上方に配設されており、第１の収納部２１と第２の収納部２２とを上昇位置と下降位置との間で入れ換わるように昇降移動させる。本実施例のように調理台２６等の作業台の上方に設置する場合では、図示するように第２の収納部２２の奥行き寸法は第２の収納部２１の奥行き寸法より小さく設定することが望ましく、調理台２６の直上にあっても作業の邪魔にならない。この第２の収納部２２には、常時使用する調味料、調理用具等を収納し、第１の収納部２１には常時は使用しない食器や鍋等の調理器具を収納するような使用区分を行うことができる。
【００２６】
第１の収納部２１と第２の収納部２２とは常時は図１（ａ）に示す状態にあり、必要に応じて収容部２５内に格納された第１収納部２１は、この位置を上昇位置として昇降機構２３により（ａ）〜（ｅ）の順に示すように、ほぼ１８０度、具体的には１８０度または図示するように１８０度を超えて回動して収容部２５のほぼ真下の物品の出し入れ位置となる下降位置に回動移動させることができ、このとき第２の収納部２２は、第１の収納部２１の回動に連動して直線的に上昇し、第１の収納部２１と入れ換わるように収容部２５内に上昇する。逆に（ｅ）〜（ａ）の順に第１の収納部２１を下降位置から上昇位置に回動移動させたときには、第２の収納部２２はこれに連動して下降する。
【００２７】
上記のように第１の収納部２１を上昇位置と下降位置との間に昇降させると共に、第２の収納部２２を下降位置と上昇位置との間に昇降させる昇降機構２３は、図２に拡大図示するように構成されている。
【００２８】
図２において、昇降機構２３は、収容部２５の両側内壁面の回動支点Ｐに一端が回動自在に支持され、その自由端部で第１の収納部２１の両側外壁面の支持支点Ｏを回動自在に支持する支持部材２７と、前記回動支点Ｐに同心で非回転に設けられた固定輪２８と、前記支持支点Ｏに同心で第１の収納部２１と一体に回動する回動輪２９と、固定輪２８と回動輪２９との間に掛け渡した姿勢維持ベルト３１と、前記固定輪２８と同心で支持部材２７と一体に回動する連動輪３０（図３及び図４参照）と、この連動輪３０と連結軸３３との間に掛け渡された連動ベルト３２と、連結軸３３と同軸に回動して第２の収納部２２に一端が固定された昇降ワイヤ３４を巻き上げる昇降輪３５と、第２の収納部２２を昇降移動させるスライドレール３６とを備えて構成され、更に、この昇降機構２３は図３の正面図に示すように、左右対称位置に回動機構２３L 、２３R として一対に設けられ、それぞれの間は連結軸３３で連結されて回動機構２３L 、２３R が同期動作できるように構成されている。
【００２９】
収容部２５は、前面及び下面開放のキャビネット状に形成され、前面の開放部は扉２５ａによって開閉自在に形成され、第１の収納部２１を出し入れするときには扉２５ａを開けば前面開放となって第１の収納部２１の出入りは自由となり、第１の収納部２１を格納して扉２５ａを閉じれば、第１の収納部２１が前面開放のラック状に形成されている場合でも収容部２５内に隠して美観を損なわず、またホコリ等の侵入も防ぐことができる。
【００３０】
第１の収納部２１を図１（ａ）に示す上昇位置から下降させるときには、収容部２５の扉２５ａを開き、第１の収納部２１の最下部の前方に設けられた把手２１ｃ（図２）を持って収容部２５から引き出しつつ引き下ろせば、第１の収納部２１は支持部材２７で支持されて回動するので、ほぼ１８０度、つまり１８０度または１８０度を超えた回動で図１（ｅ）に示すように収容部２５の真下の下降位置に降下させることができる。この下降位置は調理台２６と収容部２５との間で、調理台前に立った人のアイレベルに対応する高さに設定すると、第１の収納部２１への物品の出し入れ等は容易に行うことができる。また、下降位置において第１の収納部２１が収容部２５の下端から露出する部分は大きいほど物品の出し入れは容易となるが、露出量を大きくすると昇降機構２３の一部が外部に露出して外観上で好ましくなく、図１に示すように、収容部２５の高さ寸法は、第１の収納部２１を把手２１ｃを下端から露出させた状態で格納できるようにし、支持部材２７のアーム長による第１の収納部２１の回動半径は、回動時の第１の収納部２１の前方への振り出し量を小さく、且つ回動操作を容易にするため、回動支点Ｐ及び支持支点Ｏの位置、支持部材２７のアーム長は好ましい状態に設定されている。
【００３１】
第１の収納部２１を１８０度または１８０度を超えて回動させることにより、これを支持する支持部材２７が回動すると、回動支点Ｐに支持部材２７に固定して設けられた連動輪３０も回動して、これと連結軸３３との間に掛け渡された連動ベルト３２により連結軸３３が回動し、連結軸３３に同軸に固定された昇降輪３５により昇降ワイヤ３４が巻き上げられ、この昇降ワイヤ３４に連結された第２の収納部２２はスライドレール３６上をスライドして上昇する。
【００３２】
図１（ａ）〜（ｅ）に示すように、１８０度または１８０度を超えた回動移動により昇降する第１の収納部２１と、直線移動により昇降する第２の収納部２２とを同時に互いに逆方向にすれ違うように移動させるため、第１の収納部２１の下端奥角部分及び第２の収納部２２の上下手前角部分は、図示するように接触しないように切り欠かれており、このような断面形状とすることによって無駄な空間をつくることなく第１の収納部２１と第２の収納部２２との上下入れ替えを行うことができる。尚、第１の収納部２１及び第２の収納部２２の上端奥角部分の切り欠きは、両側の昇降機構２３R 、２３L を同期動作させる連結軸３３との接触を避けるためのもので、これも無駄なスペースの形成をなくすための構成である。
【００３３】
第１の収納部２１の１８０度または１８０度を超えた回動動作において、支持支点Ｏは第１の収納部２１の姿勢が水平に保たれる位置になく、また、収納する物品の重量や収納位置によっても姿勢変動してしまうので、第１の収納部２１をどの回動位置にあっても常に一定の姿勢に保つため、昇降機構２３に姿勢規制手段が設けられている。この姿勢規制手段は、前記固定輪２８、回動輪２９、姿勢維持ベルト３１により構成されており、この動作を図２、図４を参照して説明する。
【００３４】
図２において、収容部２５の回動支点Ｐに固定された固定輪２８と、第１の収納部２１の支持支点Ｏに固定された回動輪２９との間には姿勢維持ベルト３１が掛け渡されているので、第１の収納部２１が支持支点Ｏから回転しようとする力は支持基部となる収容部２５に固定された固定輪２８で支えられて、第１の収納部２１は一定の水平姿勢に規制される。第１の収納部２１が回動したときにも回動輪２９は固定輪２８まわりに回動するが常に姿勢維持ベルト３１によって固定輪２８に対して緊張状態にあるので第１の収納部２１は水平姿勢から傾くことはなく、水平姿勢に規制される。この姿勢規制手段を含む回動構造について図４を参照して更に詳しく説明する。
【００３５】
図４において、収容部２５に設定された回動支点Ｐを軸心として収容部２５の内側面に取り付けられた支持軸２４に、支持部材２７の一端が回動自在に支持され、固定輪２８が支持軸２４に同心に固定されている。一方、第１の収納部２１の外側面の支持支点Ｏに固定された回動軸受け３７には、支持部材２７の他端に設けられた回動軸２７ａが回動自在に支持され、回動輪２９が前記回動軸２７ａと同心に回動軸受け３７に固定されている。この回動輪２９と前記固定輪２８との間には姿勢維持ベルト３１が掛け渡されているので、第１の収納部２１は回動輪２９が姿勢維持ベルト３１を通じて収容部２５に固定された固定輪２８に連結されていることから、支持支点Ｏを中心として傾く方向に回転せず、この状態は第１の収納部２１を回動支点Ｐまわりに回動させたときにも維持されるので、上昇位置と下降位置との間の回動によっても水平状態が維持される。尚、この姿勢維持手段の構成は、上記のようなプーリ（固定輪８及び回動輪９）とベルト（姿勢維持ベルト１１）との組み合わせでなく、ギアとタイミングベルトまたはチェーンとの組み合わせによっても構成することができる。
【００３６】
上記姿勢維持手段及び支持部材２７は、第１の収納部２１の両側に一対に設けられているので、これらを同期回動させる必要がある。この同期回動は、図４に示すように回動支点Ｐと同心に支持軸２４に回動自在で支持部材２７に固定された連動輪３０と、収容部２５の対向する両側面間に回動自在に配設された連結軸３３との間に、連動ベルト３２が掛け渡されているので、両側の支持部材２７は同期して回動し、第１の収納部２１の昇降動作が円滑になされる。前記連結軸３３の外径は連動輪３０の外径より小さく設定されているので、減速により回動速度を抑制するトルクが支持部材２７に加わり第１の収納部２１が降下するときに第１の収納部２１の重量により急激に降下することが抑えられる。更に、連結軸３３または支持部材２７にロータリーダンパやバネ等による釣り合い手段を設けて、第１の収納部２１が降下するとき回動速度を抑制し、上昇するときの回動トルクを軽減させることによって、降下と上昇との回動トルクの均一化を図ると共に上昇動作を楽に行うようにすることができる。
【００３７】
前記連結軸３３の両端部には、図３に示すように昇降輪３５、３５が取り付けられており、第１の収納部２１を回動させて下降させることにより回転する連結軸３３と共に回転して、第２の収納部２２に一端が固定された昇降ワイヤ３４を巻き上げ、第２の収納部２２をスライドレール３６上に摺動させて上昇させる。
【００３８】
この第２の収納部２２を引き上げる力は、昇降輪３５、連結軸３３、連動ベルト３２、連動輪３０を通じて支持部材２７に加えられるので、第１の収納部２１がその重量により急激に回動することが抑えられる。また、図３に示すように、第２の収納部２２の背面の中央部と、収容部２５の背部内面との間に一対のバネ３８、３８が取り付けられており、第２の収納部２２が下降位置にあるときには図示仮想線で示す状態にあるが、上昇と共にバネ３８、３８を引き延ばして上昇位置では図示状態のようになり、第２の収納部２２の上昇に抵抗を与えるように作用する。このバネ３８、３８による抵抗は、昇降輪３５、連結軸３３、連動ベルト３２、連動輪３０を介して支持部材２７に加えられるので、第１の収納部２１が下降する回動に制動が加えられことになり、適度な回動速度に抑えられる。逆に第１の収納部２１を上昇させるときには、第２の収納部２２が下降する重量と、バネ３８、３８の収縮力とが作用するので、第１の収納部２１の上昇方向の回動は楽に行うことができる。
【００３９】
前記連結軸１３の配設位置は、図１及び図２に示すように、収容部２５の後方の上方隅角部が望ましく、その他の位置では収容部２５内に無駄なスペースが増えることになる。収容部２５の後方の上方隅角部は、第１の収納部２１が下降位置方向に回動する反対側であり、図１（ａ）に示すように収容部２５内のスペースを埋めるように第１の収納部２１を無駄なく収容させた場合でも、第１の収納部２１の上部後方に連結軸３３を避ける切り欠き部分を形成するだけでよい。また、第２の収納部２２についても上昇時には収容部２５内に入るので、同様に後方上角部を切り欠いて形成されている。この第１の収納部２１及び第２の収納部２２の上部後方部分は、収納上デッドスペースとなりやすい部分なので、切り欠くことによる収納スペースの減少に大きな影響を与えることはない。
【００４０】
上記のような第１の収納部２１と第２の収納部２２との重量バランスによる釣り合い、連結軸３３または支持部材２７に設けることができる回転抑制手段やバネ３８等による釣り合い手段は、連結軸３３にモータを連結して、これを昇降動作の補助動力あるいは制動とすることや、電動により昇降動作を行わせることもできる。
【００４１】
以上説明した実施形態は、昇降収納装置Ａを厨房で使用する場合の具体例としたが、その他の場所での使用においても有効に活用させることができる。例えば、事務所などでは設置した複写機、ファクシミリ、コンピュータ等の上方空間を有効利用して、第１の収納部２１にトナーカートリッジ、感熱用紙、記録ディスク、クリーナ、マニュアル類等の常時は使用しない物品の収納場所を提供することができる。また、工場等の作業スペースでは、工具、測定器、補充部品等の収納場所として利用することができる。第２の収納部２２には常時使用するフロッピーディスク等の記録ディスク類、筆記具等を収納する使用頻度による使い分けを行うことができる。
【００４２】
上記構成になる昇降収納装置Ｂは、調理台２６等の作業台上に設置するときには、図示したように第２の収納部２２を第１の収納部２１より小さく形成して、常時は作業台の直上にあっても作業の邪魔にならない奥行き寸法に設定しているが、作業台上でなく、背の高い収納キャビネットに昇降収納を適用するような場合には、第１、第２の収納部のサイズの設定は自由に行うことができる。
【００４３】
また、第２の収納部２２は、物品を収容する容器状のものに限らず、棚状の形態や補助作業のできる天板のように形成してもよく、収納スペースの確保だけでなく狭いキッチンでの作業スペースを求めることにも利用することができる。
【００４４】
図５に示す昇降収納装置Ｂ1 は、収納キャビネット内に収納部昇降方法を適用した例を示すもので、収納キャビネット３９内を上、中、下に区分した収納スペースのうち、上部に配した第１の収納部２１ａと、中部に配した第２の収納部２ａとの位置を入れ替えできるように構成されている。昇降構造は上記した昇降収納装置Ｂと同様なので、その説明は省略するが、この昇降収納装置Ｂ1 の場合では、第２の収納部２２ａの方が第１の収納部２１ａより大きく形成されており、本発明を適用する場所によって２つの収納部の大きさは任意に設定できることを示している。床面から天井面に至るような背の高い収納キャビネットでは、高い位置の収納スペースからの物品の出し入れは不便であるが、このように収納部昇降方法を適用すると出し入れが不便な収納スペースがなくなり使い勝手のよい収納キャビネットを構成することができる。また、収納キャビネットでなく単に収納スペースとする場所に、同様に収納部昇降方法を適用することもできる。
【００４５】
【発明の効果】
以上の説明の通り本願の第１発明によれば、第１の収納部を１８０度または１８０度を超えた回動により上方位置とその真下の下方位置との間に昇降させる動作に連動して第２の収納部を前記下方位置と上方位置との間に直線的に昇降させることにより上下の位置関係を入れ換えることができるので、常時使用する物品を収納した第２の収納部を出し入れのしやすい下方位置に配置しておき、常時は使用しない物品を第１の収納部に収納して、必要に応じて第１、第２の収納部の位置を入れ換えると、第１の収納部からも容易に物品の出し入れを行うことができる。また、昇降動作は一方の収納部の下降により他方の収納部を上昇させるような釣り合いによってなされるので、下降する側には上昇する側の負荷が加わって急激な下降が抑えられ、上昇する側には下降する側の重量による引き上げ力が加わって上昇を楽に行うことができる。
【００４６】
また、本願の第２発明によれば、第１の収納部は１８０度または１８０度を超えて回動させることができる支持部材により上昇位置と下降位置との間に昇降させることができ、連動手段により第１の収納部の昇降動作に伴って第２の収納部を直線的に昇降させ、第１の収納部と第２の収納部との位置を入れ換えることができる。また、第１の収納部の姿勢は姿勢規制手段により一定の姿勢に保たれるので、支持位置が重心位置になくても、収納物による重量バランスが崩れた状態であも姿勢が傾くことはなく、１点支持の回動であっても安定した昇降動作を行わせることができる。
【００４７】
更に、本願の第３発明によれば、１８０度または１８０度を超えた回動により昇降動作する第１の収納部は上昇位置では収容部内の格納位置にあり、収容部の扉を閉じることができるので、第１の収納部が前面開放の棚状のものであっても美観や防塵効果が保たれる。下降させるときには収容部の扉を開き、収容部内の格納位置から第１の収納部を回動させて収容部の真下の出し入れ位置に降下させる動作に連動させて第２の収納部を直線的に昇降させることにより、第１の収納部と第２の収納部との上下位置を入れ換えることができる。
【図面の簡単な説明】
【図１】本発明の実施形態に係る昇降収納装置の構成及び動作を説明する側面図。
【図２】昇降機構の構成を示す構成図。
【図３】昇降機構の対構造を示す正面図。
【図４】姿勢規制手段及び連動手段の構成を示す部分構成図。
【図５】昇降収納装置をキャビネット内に構成した実施形態を示す側面図。
【図６】従来例の昇降収納装置の概略構成を示す側面図。
【符号の説明】
Ｂ  昇降収納装置
Ｏ  支持支点
Ｐ  回動支点
２１、２１ａ  第１の収納部
２２、２２ａ  第２の収納部
２３  昇降機構
２５  収容部
２６  調理台（作業台）
２７  支持部材
２８  固定輪（姿勢規制手段）
２９  回動輪（姿勢規制手段）
３０  連動輪（連動手段）
３１  姿勢維持ベルト（姿勢規制手段）
３２  連動ベルト（連動手段）
３３  連結軸
３４  昇降ワイヤ
３５  昇降輪
３６  スライドレール
【図１】
0003699557.tif 000002
【図２】
0003699557.tif 000003
【図３】
0003699557.tif 000004
【図４】
0003699557.tif 000005
【図５】
0003699557.tif 000006
【図６】
0003699557.tif 000007